(57)【要約】【課題】コーヒーが有する油脂分やそれに基づくアロマやフレーバーを損なうことなく、簡易においしくコーヒーをいれて飲むことができるマグカップの提供。【解決手段】カップ本体２と、これに着脱可能に収容されるフィルター３と、フィルター３をカップ本体２に収容した状態でなされるフタ４とを備える。カップ本体２、フィルター３およびフタ４は、すべて陶磁器製とされる。フィルター３は、底を有する筒状で、周側壁には多数の小穴９が形成される。各小穴９は、直径０．７〜１ｍｍに形成されている。中途まで熱湯が注がれたカップ本体２に、コーヒーの粉が入れられたフィルター３を沈めた後、フタ４をして蒸らすことで、コーヒーをいれる。フタ４とフィルター３を取り外して、カップ本体２で直接に飲むことができる。【選択図】図１
2010259454.tif 000002
【特許請求の範囲】
【請求項１】
カップ本体と、このカップ本体に着脱可能に収容されるセラミック製のフィルターと、このフィルターを前記カップ本体に収容した状態でなされるフタとを備え、
前記フィルターは、底を有する筒状で、周側壁には多数の小穴が形成され、上端部には大径部が形成され、
前記カップ本体の上端縁に前記フィルターの大径部が当たるまで、前記カップ本体に前記フィルターが入れられて保持される
ことを特徴とするカップ。
【請求項２】
前記カップ本体、前記フィルターおよび前記フタは、すべて陶磁器製とされ、
前記フィルターは、周側壁にのみ前記小穴として直径０．７〜１ｍｍの穴が多数開けられている
ことを特徴とする請求項１に記載のカップ。
【請求項３】
前記フィルターの内側底面の中央部を盛り上げた
ことを特徴とする請求項１または請求項２に記載のカップ。
【請求項４】
前記カップ本体の内側底面に、円環状の溝が形成されている
ことを特徴とする請求項１〜３のいずれか１項に記載のカップ。
【請求項５】
カップ本体と、このカップ本体に着脱可能に収容されるフィルターと、このフィルターを前記カップ本体に収容した状態でなされるフタとを備え、
前記カップ本体、前記フィルターおよび前記フタは、すべて陶磁器製とされ、
前記フィルターは、底を有する筒状で、周側壁には多数の小穴が形成され、
この小穴は、それぞれ直径０．７〜１ｍｍに形成されており、
中途まで熱湯が注がれた前記カップ本体に、コーヒーの粉が入れられた前記フィルターを沈めた後、前記フタをして蒸らすことで、コーヒーをいれるのに用いられる
ことを特徴とするマグカップ。
【発明の詳細な説明】
【技術分野】
【０００１】
本発明は、コーヒー、紅茶または緑茶などをいれるのに適したカップに関するものである。また、特にコーヒーをいれるのに適したマグカップに関するものである。
【背景技術】
【０００２】
従来、コーヒーをいれるには、ペーパーフィルターが広く用いられている。しかしながら、ペーパーフィルターを用いた場合、コーヒーが本来有する油脂分もペーパーフィルターに吸収されてしまい、コーヒーのアロマやフレーバーなどが損なわれるものであった。また、従来、コーヒーをいれようとすれば、コーヒーカップの他に、コーヒーフィルターまたはコーヒーメーカーや、それにセットするペーパーフィルターが必要で、簡易にコーヒーをいれることができなかった。
【発明の概要】
【発明が解決しようとする課題】
【０００３】
本発明が解決しようとする課題は、コーヒーが本来有する油脂分やそれに基づくアロマやフレーバーを損なうことなく、簡易においしくコーヒーをいれて飲むことができるようにすることにある。
【課題を解決するための手段】
【０００４】
本発明は、前記課題を解決するためになされたもので、請求項１に記載の発明は、カップ本体と、このカップ本体に着脱可能に収容されるセラミック製のフィルターと、このフィルターを前記カップ本体に収容した状態でなされるフタとを備え、前記フィルターは、底を有する筒状で、周側壁には多数の小穴が形成され、上端部には大径部が形成され、前記カップ本体の上端縁に前記フィルターの大径部が当たるまで、前記カップ本体に前記フィルターが入れられて保持されることを特徴とするカップである。
【０００５】
請求項１に記載の発明によれば、セラミック製のフィルターを用いることで、たとえばコーヒーをいれる場合、コーヒーの油脂分やそれに基づくアロマやフレーバーを損なうことがない。しかも、金属などと比べても、香りや旨みを保ち、また小穴部の耐久性が高く、手入れも容易である。また、本発明によれば、カップに直接にコーヒーなどをいれて飲むことができる。なお、カップ本体からフタおよびフィルターを取り外した際、ひっくり返したフタにフィルターを載せてもよい。
【０００６】
請求項２に記載の発明は、前記カップ本体、前記フィルターおよび前記フタは、すべて陶磁器製とされ、前記フィルターは、周側壁にのみ前記小穴として直径０．７〜１ｍｍの穴が多数開けられていることを特徴とする請求項１に記載のカップである。
【０００７】
請求項２に記載の発明によれば、カップ本体、フィルターおよびフタは、すべて陶磁器製とされるので、たとえばコーヒーをいれる場合、コーヒーの油脂分やそれに基づくアロマやフレーバーを一層損なうことがない。しかも、金属などと比べても、香りや旨みを保ち、また小穴部の耐久性が高く、手入れも容易である。また、フィルターには周側壁にのみ小穴が形成され、底壁には小穴は形成されないので、たとえばコーヒーをいれる場合でも、コーヒーの粉がフィルターを出たり、フィルターの穴を詰まらせたりするのが防止される。さらに、フィルターに設ける各小穴を直径０．７〜１ｍｍとすることで、粗挽きから中挽きのコーヒーをいれるのに適する。
【０００８】
請求項３に記載の発明は、前記フィルターの内側底面の中央部を盛り上げたことを特徴とする請求項１または請求項２に記載のカップである。
【０００９】
請求項３に記載の発明によれば、フィルターの内側底面の中央部を上方へ盛り上げることにより、フィルター内に入れられたコーヒーの粉などは、フィルターの周側壁側へ分散されることになる。従って、コーヒーなどの抽出が一層容易で確実になされる。
【００１０】
請求項４に記載の発明は、前記カップ本体の内側底面に、円環状の溝が形成されていることを特徴とする請求項１〜３のいずれか１項に記載のカップである。
【００１１】
請求項４に記載の発明によれば、フィルターの穴を通過してカップ本体に出てしまったコーヒーの粉などを、飲み終える際、カップ本体の内側底面に設けた溝に残すことができる。
【００１２】
さらに、請求項５に記載の発明は、カップ本体と、このカップ本体に着脱可能に収容されるフィルターと、このフィルターを前記カップ本体に収容した状態でなされるフタとを備え、前記カップ本体、前記フィルターおよび前記フタは、すべて陶磁器製とされ、前記フィルターは、底を有する筒状で、周側壁には多数の小穴が形成され、この小穴は、それぞれ直径０．７〜１ｍｍに形成されており、中途まで熱湯が注がれた前記カップ本体に、コーヒーの粉が入れられた前記フィルターを沈めた後、前記フタをして蒸らすことで、コーヒーをいれるのに用いられることを特徴とするマグカップである。
【００１３】
請求項５に記載の発明によれば、カップ本体、フィルターおよびフタは、すべて陶磁器製とされるので、コーヒーの油脂分やそれに基づくアロマやフレーバーを損なうことがない。しかも、金属などと比べても、コーヒーの香りや旨みを保ち、また小穴部の耐久性が高く、手入れも容易である。また、フィルターに設ける各小穴を直径０．７〜１ｍｍとすることで、粗挽きから中挽きのコーヒーをいれるのに適する。さらに、先にカップ本体に中途まで熱湯を注いでおき、コーヒーの粉が入れられたフィルターを沈めて、フタをして蒸らしてコーヒーがいれられる。このようなコーヒーのいれ方の場合、フィルターの外側から内側へ湯を通すので、従来のようにフィルターの内側から外側へ湯を通す場合と比べて、フィルターの目詰まりを防止することができる。このようにして、カップに直接にコーヒーをいれて飲むことができる。なお、コーヒーを飲む際には、カップ本体からフタおよびフィルターを取り外すが、ひっくり返したフタにフィルターを載せてもよい。
【発明の効果】
【００１４】
本発明によれば、セラミック製のフィルターを用いることで、コーヒーが本来有する油脂分やそれに基づくアロマやフレーバーを損なうことがない。また、カップまたはマグカップに直接にコーヒーをいれることができるので、簡易においしくコーヒーをいれて飲むことができる。
【図面の簡単な説明】
【００１５】
【図１】本発明の一実施例のマグカップを示す分解斜視図である。
【図２】図１のマグカップを用いてコーヒーをいれる状態を示す図であり、カップ本体に熱湯を入れ、フィルターにコーヒーの粉を入れた状態を示している。
【図３】図１のマグカップを用いてコーヒーをいれる状態を示す図であり、図２の状態からカップ本体にフィルターを浸けて、かき混ぜている状態を示している。
【図４】図１のマグカップを用いてコーヒーをいれる状態を示す図であり、図３の状態からフタをして待っている状態を示している。
【図５】図１のマグカップを用いてコーヒーをいれる状態を示す図であり、図４の状態からフタとフィルターとを取り外した状態を示している。
【発明を実施するための形態】
【００１６】
以下、本発明の具体的実施例を図面に基づいて詳細に説明する。
図１は、本発明のカップの一実施例を示す分解斜視図である。本実施例のカップは、コーヒーをいれて飲むのに適したマグカップである。
【００１７】
本実施例のマグカップ１は、カップ本体２と、このカップ本体２に着脱可能に収容されるフィルター３と、このフィルター３をカップ本体２に収容した状態でなされるフタ４とを備える。
【００１８】
カップ本体２は、底を有する円筒状で、外周面には取っ手５が設けられている。カップ本体２の内側底面には、円環状溝６を形成するのが好ましい（図２）。本実施例では、カップ本体２の内側底面を緩やかな円弧状に上方へ膨出して形成することにより、カップ本体２の内側底面の外周に沿って、円環状溝６が形成される。この円環状溝６は、カップ本体２の内周面よりも大径に形成するのがよい。
【００１９】
フィルター３は、底を有する円筒状で、上端部は大径部７に形成されている。フィルター３は、大径部７の外径が、カップ本体２の内径よりも大きく、本実施例ではカップ本体２の外径程度に形成されている。また、フィルター３は、大径部７より下方部８の外径が、カップ本体２の内径よりも小さく形成されている。従って、カップ本体２の上端縁にフィルター３の大径部７の下端面が当たるまで、カップ本体２にフィルター３を入れることができる。そして、カップ本体２にフィルター３を入れた状態では、フィルター３の底面はカップ本体２の内側底面よりも浮いた状態に保持される。
【００２０】
フィルター３には、多数の小穴９，９，…が形成されている。フィルター３のどの位置にどのような小穴９をどの程度あけるかは、適宜に設定されるが、本実施例では、大径部７より下方部８の周側壁にのみ、同一形状の多数の小穴９を形成している。しかも、下方ほど開口率（単位面積当たりの開口数）を大きくしている。図示例では、小穴９を並べて四角形の枠を形成すると共に、その四角形の枠を上下左右に配置し、さらに下方の四角形の枠には、枠内にも規則的に小穴９をあけている。なお、図２に示すように、フィルター３の周側壁の内、フィルター３の内側底面に一致するか近接する高さまで小穴９を形成することが、コーヒーの抽出を容易に行えるので好ましい。
【００２１】
本実施例では、各小穴９は、同一の形状および大きさとされ、フィルター３の径方向に貫通して形成される。各小穴９は、視認可能であるが微小な穴とするのが好ましい。たとえば、直径０．５〜１．２ｍｍ、好ましくは０．７〜１ｍｍ、より好ましくは０．８〜０．９ｍｍとされる。小さすぎては目詰まりのおそれがある一方、大きすぎては通過させるコーヒーの粉が増すからである。後述するように、フィルター３を陶磁器により形成する場合、たとえば直径１ｍｍの棒材で穴をあけた後、焼き上げて形成される。この場合、焼き上げ後の各小穴９の直径は、０．８〜０．９ｍｍ程度とされる。
【００２２】
フィルター３の内側底面の中央部１０は、上方へ盛り上げて形成するのが好ましい（図２）。本実施例では、フィルター３の内側底面の中央部１０を、略半球状に上方へ膨出して形成している。
【００２３】
フタ４は、円板部１１の外周面に短円筒部１２が一体形成されてなり、短円筒部１２は円板部１１の板面に対し一方へのみ突出する。フタ４は、カップ本体２にフィルター３を入れた状態で、フィルター３の上部開口を覆うようになされる。また、カップ本体２からフィルター３を取り外した状態で、カップ本体２の上部開口を覆うようになされる。いずれの場合も、フタ４は、その短円筒部１２がフィルター３またはカップ本体２の上部外周部を覆うようにはめられる（図４）。
【００２４】
カップ本体２、フィルター３およびフタ４は、材質を特に問わないが、少なくともフィルター３はセラミック製とするのがよい。特に、陶磁器製とするのが好ましい。本実施例では、カップ本体２、フィルター３およびフタ４は、すべて陶磁器製とされる。より具体的には、釉薬が施された半磁器製である。
【００２５】
次に、本実施例のマグカップ１の使用方法について説明する。図２から図５は、本実施例のマグカップ１の使用状態を示す概略断面図であり、コーヒーをいれる際の状態を順に示している。
【００２６】
まず、図２に示すように、カップ本体２からフィルター３を取り外した状態で、フィルター３には好みに応じた量のコーヒーの粉１３を入れる。一方、カップ本体２には、中途（たとえば７〜８分目）まで熱湯を注いでおく。なお、コーヒーの粉１３は、粗挽きから中挽きが好ましい。
【００２７】
その後、カップ本体２にフィルター３をそっと浸けていき、図３に示すように、カップ本体２にフィルター３を収容して、スプーンやマドラー１４などを用いて、軽くかき混ぜる。次に、図４に示すように、カップ本体２にフタ４をして、所望時間待てばよい。たとえば、フタ４をして４〜５分間、蒸らせばよい。
【００２８】
その後、図５に示すように、フタ４をあけて、カップ本体２からフィルター３を引き上げればよい。引き上げたフィルター３は、図５に示すように、裏返したフタ４においておくこともできる。あとは、好みに応じて、砂糖やミルクを加えて、カップ本体２でそのまま飲むことができる。
【００２９】
なお、フィルター３から出たコーヒーの粉１３が気になる場合でも、飲み終える際、カップ本体２の内側底面に設けた円環状溝６に残すことができる。カップ本体２の内側底面の円環状溝６はカップ本体２の内周面よりも大径に形成されるので、飲み終える際に、カップ本体２を傾けることで、円環状溝６にコーヒーの滓を容易に残すことができる。
【００３０】
飲み終えた後、マグカップ１を洗う際、カップ本体２に水を溜めた状態で、カップ本体２にフィルター３を差し込んで、フィルター３を揺らして洗ってもよい。その場合、フィルター３の各小穴９からの粉の除去を容易に行うことができる。
【００３１】
本実施例のマグカップ１によれば、カップ本体２、フィルター３およびフタ４は、すべて陶磁器製とされるので、コーヒーの油脂分やそれに基づくアロマやフレーバーを損なうことがない。また、熱湯が注がれたカップ本体２に、コーヒーの粉１３が入れられたフィルター３を沈めて、コーヒーをいれる場合、フィルター３の外側から内側へ湯を通すので、フィルター３の目詰まりを防止できる。さらに、フィルター３の内側底面の中央部を上方へ盛り上げているので、フィルター３内に入れられたコーヒーの粉１３は、フィルター３内の外周部に配置され、コーヒーの抽出は効率よくなされる。
【００３２】
本発明のカップは、前記実施例の構成に限らず適宜変更可能である。たとえば、前記実施例では、マグカップに適用したが、その他のカップにも同様に適用可能である。また、カップの形状や大きさも、適宜に変更可能である。
【００３３】
また、前記実施例では、コーヒーをいれる場合について説明したが、紅茶や緑茶などをいれるのにも利用できる。その場合、カップ本体２にフィルター３をセットすると共にフィルター３に茶葉を入れた状態で、お湯を注いでもよい。そして、フタ４をして、たとえば３分程度蒸らせばよい。その後は、前記実施例と同様に、カップ本体２からフタ４およびフィルター３を取り出して、カップ本体２で直接に飲むことができる。なお、コーヒーについても、場合によりこのようないれ方をしてもよいが、好ましくは前述したように、先にカップ本体２に湯だけを入れておき、コーヒーの粉１３が入れられたフィルター３をカップ本体２に沈めて、コーヒーをいれるのがよい。
【符号の説明】
【００３４】
１  マグカップ（カップ）
２  カップ本体
３  フィルター
４  フタ
５  取っ手
６  円環状溝
７  大径部
８  下方部
９  小穴
１０  フィルター底壁中央部
１１  円板部
１２  短円筒部
１３  コーヒーの粉
１４  スプーン、マドラー
【図１】
2010259454.tif 000003
【図２】
2010259454.tif 000004
【図３】
2010259454.tif 000005
【図４】
2010259454.tif 000006
【図５】
2010259454.tif 000007